(57)【要約】【課題】テレビ会議システムにおいて、無駄なＩＤＲピクチャの送信を抑え、ネットワーク全体の負荷を低減すること。【解決手段】映像・音声符号化／復号部１０４は、他のテレビ会議装置１０−２〜２４のネットワーク情報を管理し、パケットロスが発生した場合、ネットワーク情報に基づいて、ＦＩＲ（Full Intra Request）を送信するか否か、および、静止画を表示させるか否かを決定する。通信制御部１０３は、映像・音声符号化／復号部１０４の指示に従って、ＦＩＲを送信する。映像・音声合成部１０５は、映像・音声符号化／復号部１０４から指示された期間において、静止画が表示されるように合成映像データを生成する。【選択図】図１
2018056756.tif 000002
【特許請求の範囲】
【請求項１】
ホスト拠点に設けられ、複数の他拠点と同時に接続可能なテレビ会議装置であって、
前記ホスト拠点を撮影して映像データを取得する映像入力部と、
前記各他拠点から映像データを含むパケットを、ネットワークを介して受信する通信制御部と、
複数の前記映像データを合成した合成映像データを生成して画面に表示させる表示制御部と、
を具備し、
前記表示制御部は、
所定の他拠点から送信されたパケットが喪失した場合、前記ネットワークに関する情報に基づいて、該他拠点宛にＦＩＲ（Full INTRA-frame Request）を送信するか否かを決定し、
前記通信制御部は、
前記表示制御部の決定に従って前記ＦＩＲを送信し、前記ＦＩＲを受信した他拠点からＩＤＲピクチャを含むパケットを受信し、
前記表示制御部は、
前記ＩＤＲピクチャを用いて合成映像データを生成する、
テレビ会議装置。
【請求項２】
前記ネットワークに関する情報には、各他拠点の場所を推定可能な情報およびパケットロスの頻度が含まれ、
前記表示制御部は、
パケットロスの頻度が閾値以上であり、かつ、他拠点の場所が海外である場合には、前記ＦＩＲの送信を行わないことを決定する、
請求項１に記載のテレビ会議装置。
【請求項３】
前記ネットワークに関する情報には、各他拠点の種別を推定可能な情報およびパケットロスの頻度が含まれ、
前記表示制御部は、
パケットロスの頻度が閾値以上であり、かつ、拠点の種別がモバイル端末である場合には、前記ＦＩＲの送信を行わないことを決定する、
請求項１に記載のテレビ会議装置。
【請求項４】
前記表示制御部は、
パケットが喪失した際に、前記ＦＩＲの送信を行わないことを決定した場合、当該他拠点の表示領域が静止画となるように合成映像データを生成する、
請求項１から３のいずれか一項に記載のテレビ会議装置。
【発明の詳細な説明】
【技術分野】
【０００１】
本発明は、複数の拠点のそれぞれに設置された装置と同時接続可能なテレビ会議装置に関する。
【背景技術】
【０００２】
複数の拠点を繋いで遠隔会議を行うことができるテレビ会議システムが普及している。ホスト拠点（親拠点）のテレビ会議装置（多拠点接続装置（ＭＣＵ））は、他の拠点（子拠点）から映像データおよび音声データを受信し、モニタの画面に各拠点の映像データを表示させ、スピーカから音声データを出力させる。特許文献１には、３拠点の映像データを同時にモニタの画面に表示するテレビ会議装置が記載されている。また、近年、多くの拠点（例えば、２４拠点）と同時に接続できるテレビ会議装置が開発されている。
【０００３】
子拠点と親拠点との間のネットワークが正常でパケットロスが発生していない場合、親拠点のテレビ会議装置は、子拠点から、最初にＩ（Intra）ピクチャを受信して復号し、復号したＩピクチャを用いて映像データを生成し、その後、順方向予測符号化のＰ（Predictive）ピクチャを受信して復号し、復号したＰピクチャを用いて映像データを生成する。
【０００４】
また、パケットロスが発生した場合、親拠点のテレビ会議装置は子拠点に対してＦＩＲ（Full Intra Request）を送信し、ＦＩＲを受信した子拠点から送信された一枚完結型のＩＤＲ（Instantaneous Decoding Refresh）ピクチャを用いて映像データを生成する。
【先行技術文献】
【特許文献】
【０００５】
【特許文献１】特開２０１２−２３１４２８号公報
【発明の概要】
【発明が解決しようとする課題】
【０００６】
子拠点が、モバイル端末であったり、海外に存在したりしている場合、親拠点と子拠点の間のネットワークに異常が起こりやすい。
【０００７】
ネットワークに異常が起きている状態で、子拠点の装置が、ＩＤＲピクチャを送信しても、連続的にパケットロスが発生してしまい、ＩＤＲピクチャが無駄になるとともに、ネットワーク全体に余計な負荷がかかってしまうおそれがある。
【０００８】
この課題は、接続拠点数が多く、性能上、エンコーダを多く持てないテレビ会議装置において顕著となる。
【０００９】
本発明の目的は、無駄なＩＤＲピクチャの送信を抑え、ネットワーク全体の負荷を低減することができるテレビ会議装置を提供することである。
【課題を解決するための手段】
【００１０】
本発明のテレビ会議装置は、ホスト拠点に設けられ、複数の他拠点と同時に接続可能なテレビ会議装置であって、前記ホスト拠点を撮影して映像データを取得する映像入力部と、前記各他拠点から映像データを含むパケットを、ネットワークを介して受信する通信制御部と、複数の前記映像データを合成した合成映像データを生成して画面に表示させる表示制御部と、を具備し、前記表示制御部は、所定の他拠点から送信されたパケットが喪失した場合、前記ネットワークに関する情報に基づいて、該他拠点宛にＦＩＲ（Full INTRA-frame Request）を送信するか否かを決定し、前記通信制御部は、前記表示制御部の決定に従って前記ＦＩＲを送信し、前記ＦＩＲを受信した他拠点からＩＤＲピクチャを含むパケットを受信し、前記表示制御部は、前記ＩＤＲピクチャを用いて合成映像データを生成する。
【発明の効果】
【００１１】
本発明によれば、無駄なＩＤＲピクチャの送信を抑え、ネットワーク全体の負荷を低減することができる。
【図面の簡単な説明】
【００１２】
【図１】本発明の一実施の形態に係るテレビ会議装置の構成を示すブロック図
【図２】本発明の一実施の形態に係るテレビ会議装置の状態の遷移を示す状態遷移図
【図３】本発明の一実施の形態に係るテレビ会議装置の動作を示すフロー図
【図４】本発明の一実施の形態に係るテレビ会議装置の映像表示制御動作を示すフロー図
【図５】本発明の一実施の形態に係るテレビ会議装置の表示画面の一例を示す図
【発明を実施するための形態】
【００１３】
以下、図面を適宜参照して、本発明の実施の形態につき、詳細に説明する。なお、以下では、同時に接続できる拠点数が２４であるテレビ会議システムを例に説明する。
【００１４】
（実施の形態）
＜テレビ会議装置の構成および接続関係＞
まず、本発明の一実施の形態に係るテレビ会議装置１０の構成および接続関係について、図１を用いて詳細に説明する。
【００１５】
各拠点には、それぞれ、テレビ会議装置１０が設置されている。ホスト拠点（拠点番号１）のテレビ会議装置１０−１は、他の拠点（拠点番号２〜２４）のそれぞれに設置された各テレビ会議装置１０−２〜２４と、ネットワーク２０を介して接続し、音声データ及び映像データの送信／受信を行う。ネットワーク２０は、典型的にはインターネットである。
【００１６】
テレビ会議装置１０−１は、本体装置１００、ユーザ操作入力装置２００、映像入力装置３００、音声入力装置４００および表示装置５００から構成されている。
【００１７】
本体装置１００は、ユーザ操作入力装置２００、映像入力装置３００、音声入力装置４００および表示装置５００と接続している。
【００１８】
ユーザ操作入力装置２００は、ユーザによる拠点を選択する操作を検出し、選択された拠点を示す選択拠点情報を含む信号を有線又は無線により本体装置１００に送信する。ユーザ操作入力装置２００は、典型的にはリモコン又はタッチパネルである。
【００１９】
映像入力装置３００は、本体装置１００が設置されている拠点を撮影して得られた映像データを本体装置１００に出力する。なお、映像入力装置３００が出力する映像データには、カメラが撮像した映像データの他に、ＰＣに保存された映像データ、ＤＶＤプレーヤにより再生された映像データ等がある。
【００２０】
音声入力装置４００は、本体装置１００が設置されている拠点の音声を収音して得られた音声データ等を本体装置１００に出力する。なお、音声入力装置４００が出力する音声データには、マイクが収音した音声データの他に、ＰＣに保存された映像データとセットの音声データ、ＤＶＤプレーヤにより再生された映像データとセットの音声データ等がある。
【００２１】
表示装置５００は、本体装置１００から出力された映像データを画面に表示すると共に、本体装置１００から出力された音声データを図示しないスピーカから出力する。
【００２２】
本体装置１００は、ユーザ指示受信部１０１と、会議制御部１０２と、通信制御部１０３と、映像・音声符号化／復号部１０４と、映像・音声合成部１０５と、映像・音声出力制御部１０６と、静止画保持部１０７と、映像入力制御部１０８と、音声入力制御部１０９と、から主に構成される。なお、映像・音声符号化／復号部１０４、映像・音声合成部１０５および映像・音声出力制御部１０６により、表示制御部が構成される。
【００２３】
ユーザ指示受信部１０１は、ユーザ操作入力装置２００から送信された信号を受信し、受信信号に含まれている選択拠点情報を抽出し、会議制御部１０２に出力する。選択拠点情報には、テレビ会議に参加する各拠点の発信先情報（ＩＰアドレスあるいはＩＳＤＮ番号）が含まれる。
【００２４】
会議制御部１０２は、ユーザ指示受信部１０１から入力した選択拠点情報に基づいて、通信制御部１０３と、映像・音声符号化／復号部１０４と、映像・音声合成部１０５と、におけるデータの入出力のタイミングを制御する。また、会議制御部１０２は、ユーザ指示受信部１０１から入力した選択拠点情報を映像・音声合成部１０５に出力する。また、会議制御部１０２は、選択拠点情報に基づいて、通信制御部１０３における発信処理及び呼の確立処理を制御すると共に、映像データを受信したか否かを監視する。
【００２５】
通信制御部１０３は、会議制御部１０２の制御に従ったタイミングで動作する。通信制御部１０３は、他のテレビ会議装置１０−２〜２４との間で呼を確立する。そして、通信制御部１０３は、呼を確立した後、他のテレビ会議装置１０−２〜２４が送信した映像データ（Ｐピクチャ、ＩＤＲピクチャ）及び音声データを含むパケットを、ネットワーク２０を介して受信し、映像・音声符号化／復号部１０４に出力する。また、通信制御部１０３は、呼を確立した後、映像・音声符号化／復号部１０４から入力した映像データ及び音声データを含むパケットを、ネットワーク２０を介して他のテレビ会議装置１０−２〜２４に送信する。なお、通信制御部１０３は、所定の通信プロトコルに従って動作する。通信プロトコルは、典型的にはＳＩＰ又はＨ．３２３である。
【００２６】
また、通信制御部１０３は、映像・音声符号化／復号部１０４の指示に従って、ＦＩＲを送信する。
【００２７】
映像・音声符号化／復号部１０４は、会議制御部１０２の制御に従ったタイミングで動作する。映像・音声符号化／復号部１０４は、映像・音声合成部１０５から入力した映像データ、および、音声入力制御部１０９から入力した音声データを符号化して通信制御部１０３に出力する。また、映像・音声符号化／復号部１０４は、通信制御部１０３から入力した他のテレビ会議装置１０−２〜２４からの映像データおよび音声データを復号して映像・音声合成部１０５に出力する。
【００２８】
また、映像・音声符号化／復号部１０４は、他のテレビ会議装置１０−２〜２４のネットワーク情報を管理し、パケットロスが発生した場合（パケットが喪失した場合）、ネットワーク情報に基づいて、ＦＩＲを送信するか否か、および、静止画を表示させるか否かを決定する。そして、映像・音声符号化／復号部１０４は、決定に従って、通信制御部１０３にＦＩＲの送信を指示し、映像・音声合成部１０５に静止画の表示を指示する。
【００２９】
ネットワーク情報には、各子拠点の装置の種別（モバイル端末であるか否か）、パケットロス頻度（所定時間内におけるパケットロスの回数）、ＩＰアドレス、ＲＴＴ（Round-Trip Time）、推定帯域等が含まれる。
【００３０】
映像・音声合成部１０５は、会議制御部１０２の制御に従ったタイミングで動作する。映像・音声合成部１０５は、映像・音声符号化／復号部１０４から入力した他のテレビ会議装置１０−２〜２４からの映像データと、映像入力制御部１０８から入力した映像データと、に基づいて、会議制御部１０２から入力した選択拠点情報の拠点数に応じて、複数の映像データを合成した合成映像データを生成し、映像・音声出力制御部１０６に出力する。なお、映像・音声合成部１０５は、各テレビ会議装置１０−２〜２４から映像データを受信するまでの間、および、映像・音声符号化／復号部１０４から指示された期間において、静止画保持部１０７に保持された静止画が表示されるように合成映像データを生成する。
【００３１】
また、映像・音声合成部１０５は、映像・音声符号化／復号部１０４から入力した他のテレビ会議装置１０−２〜２４からの音声データと、音声入力制御部１０９から入力した音声データを合成した合成音声データを生成し、映像・音声出力制御部１０６に出力する。また、映像・音声合成部１０５は、映像入力制御部１０８から入力した映像データを映像・音声符号化／復号部１０４に出力する。
【００３２】
映像・音声出力制御部１０６は、映像・音声合成部１０５から入力した合成映像データを表示装置５００の画面に表示させると共に、合成音声データを表示装置５００のスピーカから音声として出力させる。
【００３３】
静止画保持部１０７は、他のテレビ会議装置１０−２〜２４から映像データを受信するまでの期間において、所定の静止画を表示装置５００の画面に表示させるための静止画データを予め保持している。
【００３４】
映像入力制御部１０８は、映像入力装置３００から入力した映像データを映像・音声合成部１０５に出力する。
【００３５】
音声入力制御部１０９は、音声入力装置４００から入力した音声データを映像・音声符号化／復号部１０４および映像・音声合成部１０５に出力する。
【００３６】
＜テレビ会議装置の接続状態の遷移＞
次に、テレビ会議装置１０−１の接続状態の遷移について、図２を用いて詳細に説明する。
【００３７】
テレビ会議装置１０−１は、電源ＯＮとなることにより動作を開始する。テレビ会議装置１０−１は、電源ＯＮされた直後では非通信状態である（Ｓ１）。
【００３８】
テレビ会議装置１０−１は、非通信状態（Ｓ１）において、他の１つのテレビ会議装置１０−ｉ（ｉは２から２４のいずれかの整数）と接続することにより、テレビ会議装置１０−ｉと一対一の通信状態（１：１通信状態）になる（Ｓ２）。そして、テレビ会議装置１０−１は、１：１通信状態（Ｓ２）において、通信状態であるテレビ会議装置１０−ｉとの接続を切断すると非通信状態になる（Ｓ１）。なお、テレビ会議装置１０−１は、非通信状態（Ｓ１）において、電源ＯＦＦとなることにより動作を終了する。
【００３９】
また、テレビ会議装置１０−１は、１：１通信状態（Ｓ２）から、さらに他のテレビ会議装置１０−ｊ（ｊはｉ以外の２から２４のいずれかの整数）と接続することにより、複数の拠点のテレビ会議装置１０−ｉ、ｊと通信状態（ＭＣＵ通信状態）になる（Ｓ３）。
【００４０】
そして、テレビ会議装置１０−１は、通信状態にあるテレビ会議装置１０−ｊとの接続を切断すれば一対一の通信状態になり（Ｓ２）、さらに通信状態にあるテレビ会議装置１０−ｉとの接続を切断すれば非通信状態になる（Ｓ１）。
【００４１】
また、テレビ会議装置１０−１は、非通信状態（Ｓ１）において、他の全てのテレビ会議装置１０−２〜２４に対して一斉に発信することにより他の全てのテレビ会議装置１０−２〜２４と通信状態（ＭＣＵ通信状態）になる（Ｓ３）。そして、テレビ会議装置１０は、他の全てのテレビ会議装置１０−２〜２４との接続を一斉に切断すれば非通信状態になる（Ｓ１）。
【００４２】
一斉に発信する方法としては、ユーザが発信時に発信先をテレビ会議装置１０−１に手入力する方法、又は、テレビ会議装置１０−１に予め記憶させておいた複数の発信先情報を登録したリストをユーザに選択させる方法等が考えられる。また、発信先を特定する方法としては、ＩＰアドレス、電話番号又は識別コード等が考えられる。
【００４３】
＜テレビ会議装置の動作＞
次に、テレビ会議装置１０−１の動作について、図３を用いて詳細に説明する。なお、図３は、テレビ会議装置１０−１が、他の全てのテレビ会議装置１０−２〜２４に対して一斉に発信する場合のフローである。
【００４４】
まず、ユーザ指示受信部１０１が、ユーザ操作入力装置２００から信号を受信し、受信した信号に含まれる選択拠点情報を抽出して会議制御部１０２に出力する。
【００４５】
会議制御部１０２は、選択拠点情報のＮ（Ｎは１以上の整数、図３ではＮ＝２３）拠点のそれぞれに設置されたテレビ会議装置１０−２〜２４に一斉発信を行うように通信制御部１０３を制御する。これにより、通信制御部１０３は、選択拠点のテレビ会議装置１０−２〜２４に一斉発信を行う（Ｓ１１）。具体的には、会議制御部１０２は、選択拠点情報が複数の発信先情報を記録した１つのリストの情報である場合、そのリストに登録されている発信先情報の発信先の数により拠点数Ｎを認識することができる。
【００４６】
また、映像・音声合成部１０５は、会議制御部１０２から入力した選択拠点情報に基づいて画面レイアウトを決定する（Ｓ１２）。
【００４７】
また、映像・音声符号化／復号部１０４は、ネットワーク情報（各子拠点の装置の種別、パケットロス頻度、ＩＰアドレス、ＲＴＴ、推定帯域等）を初期化する（Ｓ１３）。
【００４８】
また、通信制御部１０３は、他の拠点の各テレビ会議装置１０−２〜２４との間で呼を確立する（Ｓ１４）。
【００４９】
次に、映像・音声合成部１０５は、映像入力制御部１０８から入力したテレビ会議装置１０−１の映像データ、および、他のテレビ会議装置１０−２〜２４の映像データのそれぞれが、画面レイアウトの、対応する分割領域に表示されるように合成映像データを生成する。そして、映像・音声出力制御部１０６が、映像・音声合成部１０５から入力した合成映像データを表示装置５００の画面に表示させる（Ｓ１５）（図５（ａ）参照）。なお、他の各テレビ会議装置１０−２〜２４から映像データを受信するまでは、対応する分割領域に静止画データが表示される。
【００５０】
その後、テレビ会議装置１０−１は、双方向通信を継続している間、映像表示制御動作（Ｓ１６）を行う。
【００５１】
以下、本実施の形態のテレビ会議装置１０−１における、映像表示制御動作（Ｓ１６）の詳細について図４を用いて説明する。
【００５２】
まず、映像・音声符号化／復号部１０４が、各子拠点（他の各テレビ会議装置１０−２〜２４）から受信したパケットデータを復号し、復号結果に基づいてネットワーク情報の管理（設定、更新）を行い（Ｓ２１）、パケットロスの発生の有無を判定する（Ｓ２２）。
【００５３】
パケットロスが発生した場合（Ｓ２２：ＹＥＳ）、映像・音声符号化／復号部１０４は、当該子拠点についてパケットロスが頻発しているか（パケットロス頻度が所定の閾値以上か）否かを判定する（Ｓ２３）。
【００５４】
パケットロスが頻発している場合（Ｓ２３：ＹＥＳ）、映像・音声符号化／復号部１０４は、ネットワーク情報に基づいて当該子拠点が劣悪環境にあるか否かを判定する（Ｓ２４）。なお、劣悪環境にある子拠点とは、当該子拠点が、モバイル端末である場合や、海外に存在する場合等である。テレビ会議装置１０−１は、各子拠点がモバイル端末であるか否かを、User Agent情報によって判定することができる。また、テレビ会議装置１０−１は、各子拠点が海外に存在するか否かを、ＲＴＴあるいはＩＰアドレスによって判定することができる。
【００５５】
当該子拠点が劣悪環境にある場合（Ｓ２４：ＹＥＳ）、映像・音声符号化／復号部１０４は、通信制御部１０３にＦＩＲ送信を指示せず、映像・音声合成部１０５に静止画を用いて合成映像データを生成するように指示する。映像・音声合成部１０５は、当該子拠点の表示領域が静止画データとなるように合成映像データを生成する。そして、映像・音声出力制御部１０６は、映像・音声合成部１０５から入力した合成映像データを表示装置５００の画面に表示させる（Ｓ２５）。その後、フローはＳ２１に戻る。
【００５６】
一方、パケットロスが発生した場合であっても（Ｓ２２：ＹＥＳ）、パケットロスが頻発していない場合や（Ｓ２３：ＮＯ）、当該子拠点が劣悪環境にはない場合には（Ｓ２４：ＮＯ）、映像・音声符号化／復号部１０４は、通信制御部１０３にＦＩＲ送信を指示する。通信制御部１０３は、この指示に基づいて、当該子拠点にＦＩＲを送信する（Ｓ２７）。ＦＩＲを受信した子拠点は、ＩＤＲピクチャを挿入したパケットを親拠点宛に送信する。
【００５７】
映像・音声符号化／復号部１０４は、ＩＤＲピクチャを復号して映像・音声合成部１０５に出力する。映像・音声合成部１０５は、当該子拠点の表示領域がＩＤＲピクチャの映像データとなるように合成映像データを生成する。そして、映像・音声出力制御部１０６は、映像・音声合成部１０５から入力した合成映像データを表示装置５００の画面に表示させる（Ｓ２８）。その後、フローはＳ２１に戻る。
【００５８】
また、パケットロスが発生せず、パケットを正常に受信できた場合（Ｓ２２：ＮＯ）、Ｓ２５において静止画データを表示している子拠点があれば（Ｓ２６：ＹＥＳ）、通信制御部１０３は、当該子拠点にＦＩＲを送信し（Ｓ２７）、映像・音声符号化／復号部１０４、映像・音声合成部１０５および映像・音声出力制御部１０６がＩＤＲピクチャを用いた合成映像データを生成して表示させる（Ｓ２８）。その後、フローはＳ２１に戻る。
【００５９】
また、パケットを正常に受信できたその他の子拠点については（Ｓ２２：ＮＯ、Ｓ２６ＮＯ）、映像・音声符号化／復号部１０４、映像・音声合成部１０５および映像・音声出力制御部１０６がＰピクチャを用いた合成映像データを生成して表示させる（Ｓ２９）。その後、フローはＳ２１に戻る。
【００６０】
＜表示画面の具体例＞
次に、合成映像データを表示した画面の具体例について、図５を用いて詳細に説明する。なお、図５では、発明内容を理解しやすくするために、４つの拠点（拠点番号１、２、３、４）の映像データを同時に表示する例を示す。
【００６１】
図５（ａ）は、全ての子拠点との間のネットワークが正常であり、パケットロスが発生していない場合の例を示す。この場合、映像・音声合成部１０５は、映像・音声合成部１０５は、映像入力制御部１０８から入力した親拠点（自装置、拠点番号１）の映像データと、映像・音声符号化／復号部１０４から入力した子拠点（拠点番号２、３、４）からの映像データとを合成した合成映像データを生成する。
【００６２】
その後、海外の子拠点（拠点番号３）との間のネットワークに異常が発生し、パケットロスが頻発したとする。この場合、映像・音声符号化／復号部１０４は、映像・音声合成部１０５に静止画を用いて合成映像データを生成するように指示する。映像・音声合成部１０５は、図５（ｂ）に示すように、拠点番号３の子拠点の表示領域に、静止画（「海外接続中」等の文字）を表示させる合成映像データを生成する。
【００６３】
その後、海外の子拠点（拠点番号３）との間のネットワークが復旧し、パケットロスが発生しなくなったとする。この場合、通信制御部１０３は、拠点番号３の子拠点にＦＩＲを送信し、映像・音声符号化／復号部１０４は、ＩＤＲピクチャを用いて拠点番号３の子拠点の映像データを復号する。そして、映像・音声合成部１０５は、図５（ｃ）に示すように、再び、映像入力制御部１０８から入力した親拠点（拠点番号１）の映像データと、映像・音声符号化／復号部１０４から入力した子拠点（拠点番号２、３、４）からの映像データとを合成した合成映像データを生成する。
【００６４】
＜効果＞
このように、本実施の形態では、劣悪環境にある子拠点との間のネットワークに異常が発生し、パケットロスが頻発した場合に、親拠点がＦＩＲ送信を行わないので、無駄なＩＤＲピクチャの送信を抑え、ネットワーク全体の負荷を低減することができる。
【００６５】
なお、本発明は、部材の種類、配置、個数等は前述の実施の形態に限定されるものではなく、その構成要素を同等の作用効果を奏するものに適宜置換する等、発明の要旨を逸脱しない範囲で適宜変更可能である。
【００６６】
具体的には、上記の実施の形態では、映像を表示するまでに静止画を表示する場合について説明したが、本発明はこれに限られず、静止画以外のメッセージ等の文字情報を表示する、あるいは、黒画面のままとするようにしてもよい。
【００６７】
また、上記の実施の形態では、同時に接続できる拠点数が２４であるテレビ会議システムを例に説明したが、本発明は同時に接続できる拠点数に制限は無い。
【００６８】
また、本発明では、ユーザの設定により、表示用の映像データと送信用の映像データとを別個に生成することができる。例えば、映像入力制御部１０８から出力された映像データを表示用の映像データとし、映像・音声合成部１０５で合成された映像データを送信用の映像データとすることができる。
【産業上の利用可能性】
【００６９】
本発明は、ホスト拠点に設けられ、ホスト拠点と異なる複数の拠点の相手装置と同時に接続可能なテレビ会議装置に用いるに好適である。
【符号の説明】
【００７０】
１０  テレビ会議装置
１００  本体装置
１０１  ユーザ指示受信部
１０２  会議制御部
１０３  通信制御部
１０４  映像・音声符号化／復号部
１０５  映像・音声合成部
１０６  映像・音声出力制御部
１０７  静止画保持部
１０８  映像入力制御部
１０９  音声入力制御部
２００  ユーザ操作入力装置
３００  映像入力装置
４００  音声入力装置
５００  表示装置
【図１】
2018056756.tif 000003
【図２】
2018056756.tif 000004
【図３】
2018056756.tif 000005
【図４】
2018056756.tif 000006
【図５】
2018056756.tif 000007